(57)【要約】【課題】  高周波加熱装置において、自動的に開成する使い勝手のよいドアを構築すること。【解決方法】  食品２を収納する加熱室３と、該加熱室３の開口部４に装備した開閉自在なドア６と、該ドア６の開閉に連動して作動するドアスイッチ１２と、一端を前記ドア６に固定し、他端をドア６が閉成したとき加熱室３の開口部４の周囲を構成する前板５にドア６が密着するよう引力するコイルバネ１０に接続したドアアーム７を備えた高周波加熱装置において、前記ドア６の取っ手６ｂに取っ手スイッチ６ｃを設け、ドア６を閉じ該取っ手スイッチ６ｃを操作したとき開成駆動手段１３により、ドア６が自動的に開成するようにする。【選択図】  図２
2005221165.tif 000002
【特許請求の範囲】
【請求項１】
食品（２）を収納する加熱室（３）と、該加熱室（３）の開口部（４）に装備した開閉自在なドア（６）と、該ドア（６）の開閉に連動して作動するドアスイッチ（１２）と、一端を前記ドア（６）に固定し、他端をドア（６）が閉成したとき加熱室（３）の開口部（４）の周囲を構成する前板（５）にドア（６）が密着するよう引力するコイルバネ（１０）に接続したドアアーム（７）を備えた高周波加熱装置において、前記ドア（６）の取っ手（６ｂ）に取っ手スイッチ（６ｃ）を設け、ドア（６）を閉じ、該取っ手スイッチ（６ｃ）を操作したときドア開成駆動手段（１３）により、ドア（６）が自動的に開成することを特徴とする高周波加熱装置。
【請求項２】
ドア開成駆動手段（１３）はドアスイッチ（１２）と電気的に連動し、ドア（６）が開成しているときは開成駆動手段（１３）は動作しないことを特徴とする請求項１記載の高周波加熱装置。
【請求項３】
ドア開成駆動手段（１３）によりドア（６）が予め設定した位置に達したとき、ドア（６）の自重で開成することを特徴とする請求項１、２記載の高周波加熱装置。
【発明の詳細な説明】
【技術分野】
【０００１】
本発明は、高周波加熱装置のドアの開成方式に関するものである。
【背景技術】
【０００２】
高周波加熱装置のドアは加熱室の開口部を塞ぐために設けられたもので、食品の調理中、加熱室内の高周波が外部に漏洩しないようにするとともに熱や水蒸気などもできるだけ加熱室外に漏れないようにする構造が取り入れられている。
【０００３】
また、食品の有無や、加熱中食品の加熱状況が観察できるよう高周波漏洩防用の金属パンチング穴とこれを保護する耐熱ガラスから構成されるファインダ部が設けられ、加熱室内が覗けることができる構造が取り入れられている。
【０００４】
従って、ドアの構造が複雑になりドアの重量が重くなるとともに加熱室の開口部周辺の平面部と密着を良くするためドアをコイルバネなどで強く引き込んだりするため開閉動作が重くなる傾向にあった。
【０００５】
また、加熱する食品や水の入った重い容器などを手にしているときドア開成操作が行ないにくい場合が多々生じることがあった。
【０００６】
このため、使用者ができるだけ使いやすくするため特開２００２−２６７１７７号公報で開示されているように、操作パネルのキーボードを操作して電動装置を電気的に作動させ、ドアを固定しているドアキーを開放してドアを開成させる構成のものがあった。
【０００７】
【特許文献１】特開２００２−２６７１７７号公報
【発明の開示】
【発明が解決しようとする課題】
【０００８】
高周波加熱装置のドアの開閉方法は、上下に動作させて開閉する縦開きドアと左右に動作させて開閉する横開きドアの二通りある。前者の縦開きドアは部品構成が多くなるため製造原価が高くなるが、ドアを開けきったとき食品を載置できるとか、開閉途中で停止しないため安全性に優れ（特にヒータ加熱のときドアが百数十度になった場合有効である。）主に高周波加熱装置の高級機機種に採用されている。
【０００９】
一方、後者の横開きドアは、製造原価が縦開きドアより安くなるため比較的低価格ゾーンの機種に採用されている。しかし、ドアを開けきらない位置で停まることが多く、ドアの動きは安定しない。
【００１０】
このような状況の中、特許文献１に示すものは上記で説明した横開き式ドアをキーボードからの信号で電動装置を動作させ、ドアのドアキーを加熱室から開放しドアを開けるため、ドアは完全に開ききれず使用者がドアを完全に開けなければならないという問題があった。
【００１１】
また、ドアは安定していないためドアが加熱中熱くなっている場合、手や腕などに触れるチャンスが多く、熱いドアに触れ火傷をするおそれがあるという問題があった。
【課題を解決するための手段】
【００１２】
本発明は上記の課題を解決するために、食品を収納する加熱室と、該加熱室の開口部に装備した開閉自在なドアと、該ドアの開閉に連動して作動するドアスイッチと、一端を前記ドアに固定し、他端をドアが閉成したとき加熱室の開口部の周囲を構成する前板にドアが密着するよう引力するコイルバネに接続したドアアームを備えた高周波加熱装置において、前記ドアの取っ手に取っ手スイッチを設け、ドアを閉じ該取っ手スイッチを操作したときドア開成駆動手段により、ドアが自動的に開成するようにしたものである。
【００１３】
また、ドア開成駆動手段はドアスイッチと電気的に連動し、ドアが開成しているときは開成駆動手段は動作しないようにしたものである。
【００１４】
さらに、ドア開成駆動手段によりドアが予め設定した位置に達したとき、ドアの自重で開成するようにしたものである。
【発明の効果】
【００１５】
以上本発明によれば、食品を収納する加熱室と、該加熱室の開口部に装備した開閉自在なドアと、該ドアの開閉に連動して作動するドアスイッチと、一端を前記ドアに固定し、他端をドアが閉成したとき加熱室の開口部の周囲を構成する前板にドアが密着するよう引力するコイルバネに接続したドアアームを備えた高周波加熱装置において、前記ドアの取っ手に取っ手スイッチを設け、ドアを閉じ該取っ手スイッチを操作したときドア開成駆動手段により、ドアが自動的に開成するようにしたものである。このようにしたことにより大きな鍋や皿などをもっていて両手がふさがっている時でも指１本でもドアが開成可能となるため、オーブン料理などにおいて繰越加熱をさけるためすぐドアを開けなければならないときでも対応できるなどの効果がある。
【００１６】
また、ドア開成駆動手段はドアスイッチと電気的に連動し、ドアが開成しているときはドア開成駆動手段は動作しないようにしたことにより、掃除などをしているとき、不用意に取っ手スイッチに触れプランジャーがオーブン前板から飛び出し手を押して怪我をしてしまうなどの問題を解消できる。
【００１７】
さらに、ドア開成駆動手段によりドアが予め設定した位置に開成したときは自重で開成するようにしたことによりドアが途中で止まりふらつくことがないため不用意にドアに接触するようなことが生じないなどの効果がある。特にオーブン料理などが終ったあとドアが熱くなっている時などは効果が大きい。
【発明を実施するための最良の形態】
【００１８】
以下、本発明の実施例を図面に基づいて説明する。
【００１９】
図１は本発明の実施例における高周波加熱装置の外観斜視図で、１は本体である。２は食品である。３は食品２を収納する加熱室である。４は加熱室３に食品２を出し入れする開口部である。５は前板で、開口部４の周囲に設けられている金属の平板からなる加熱室３を構成する部品の一つである。
【００２０】
６は開閉自在なドアで、食品２を加熱室３出し入れするとき使用するもので、食品２の加熱中は前記前板５に密着している。６ａはファインダで、長方形の形をしておりドア６のほぼ中央部に設けられ、ドア６が閉じられているとき加熱室３内の様子を観察するために設けられている。６ｂはドア６を開閉するとき使用する取っ手である。６ｃは取っ手スイッチで、ドア６を自動的に開成するとき使用するものである。
【００２１】
７はドアアームで、前板５に設けられた穴５ａを貫通しており、一端はドア６に固定されている。他端の構成については下記にて説明する。このドアアーム７は開口部４を挟んで左右２箇所に設けられ、ドア６が開ききったとき安定になるよう支えたりするものである。
【００２２】
８は加熱室３や下記に説明する構成部品を覆うキャビネットである。
【００２３】
図２はキャビネット８を除去した状態の右側面図で、９は前記ドアアーム７がスムーズに動作できるように設けられたローラである。該ローラ９の働きはもう一つある。
【００２４】
それは、ドア６が開ききったとき、加熱室３側のドアアーム７に設けられたＬ形状したストッパー部７ｂをローラ９で受け止めドア６を安定に固定させる働きである。
【００２５】
１０はコイルバネで、ドア６が前板５に密着するよう一端は前記ドアアーム７に固定され、他端は本体１を構成する底板１１に固定されている。従って、該コイルバネ１０はドア６を前板５面に引っ張り、該前板５に密着固定させる。
【００２６】
このようにしてドア６が前板５に密着固定することにより高周波で食品２を加熱中、ドア６と前板５間から高周波や食品２からでる水蒸気を外部に漏洩することが防止できる。
【００２７】
１２はドアスイッチで、ドアアーム７に連動していてドア６が開けられたときはＯＦＦとなり、ドア６が閉じられたときはＯＮになるように設定されている。
【００２８】
１３ａは前板５を貫通して設けられ限定された区間だけ移動可能なプランジャーである。１３ｂは開放モータで、前記プランジャー１３ａの移動力の動力源となるものである。１３ｃは位置検出スイッチで、前記プランジャー１３ａの動作位置を検出するものである。これら符号１３ａ、１３ｂ及び１３ｃで構成されるユニットをドア開成駆動手段と称す。
【００２９】
１４は制御部で、前記ドアスイッチ１２や前記取っ手スイッチ６ｃからなどのＯＮ−ＯＦＦ情報によりドア６の開成を制御したり、高周波の出力を制御したりするところである。
【００３０】
このように構成された高周波加熱装置の作用について説明する。
【００３１】
使用者が食品２を加熱室３に収納し、取っ手６ｂをつかんでドア６を持ち上げるように動かすとドアアーム７のストッパー部７ｂが固定されているローラ９からはずれ、ドアアーム７に固定されているコイルバネ１０に引っ張られて移動し、ドア６が開口部４を塞ぐとともに前板５に密着固定される。
【００３２】
ドア６が前板５に密着固定された状態におけるドアスイッチ１２はドアアーム７で押されて図３で示すようにＯＮ状態に設定される。このドアスイッチ１２のＯＮ情報は制御部１４に伝えられ、高周波加熱装置は加熱待機状態となるとともに、ドア開成駆動手段１３も動作待機状態となる。
【００３３】
使用者は操作部（図示せず）より加熱に必要な項目を選定し設定して加熱開始の操作をすると制御部１４の指示により高周波を発振するマグネトロン（図示せず）などが動作して加熱が始まる。
【００３４】
加熱の進行状況はドア６のファインダ６ａから加熱室３の食品２を覗き見ることができる。そして設定された温度もしくは時間に達するとマグネトロンの動作が停止して加熱は終了する。
【００３５】
尚、ファインダ６ａ部の構成については本発明と直接関係がないため詳細説明は省略する。
【００３６】
加熱が終了すると使用者はドア６に設けられた取っ手スイッチ６ｂを手で押して、放すと電気的にＯＮ−ＯＦＦなりこの情報が制御部１４に伝えられる。
【００３７】
そして、情報を受けた制御部１４は開放モータ１３ｂを動作させ、プランジャー１３ａを前板５に密着しているドア６を突き押すように動作させる。
【００３８】
プランジャー１３ａに突き押されたドア６は前板５から離れ始め、位置検出スイッチ１３ｃにより設定された位置に達すると開放モータ１３ｂの動作は停止しするとともに、この位置からドア６は自重で開成動作する。そして、ドアアーム７のストッパー部７ｂがローラ９に達すると図４で示すようにドア６は全開し開成動作は完了する。
【００３９】
尚、位置検出スイッチ１３ｃの動作停止位置はドア６が自重で開成動作に入る位置であるためドア６の形状、重さ、コイルバネ１０の張力などにより変わるため実験などにより求められるものである。
【００４０】
また、ドア６の自動開成を指示するスイッチを本発明ではドア６の取っ手６ｂに設けているが、このものを操作パネル（図示せず）に設けても同じ効果があることはいうまでもない。
【００４１】
このようにドア６の取っ手６ｂに設けられた取っ手スイッチ６ｃに軽く触れるだけでドア６が開成可能となり、両手が皿などを持っていてふさがれている時でも指１本で開成可能となる。
【図面の簡単な説明】
【００４２】
【図１】本発明の一実施例における高周波加熱装置の外観斜視図である。
【図２】本発明の一実施例における高周波加熱装置のドアが半開している状態でキャビネットを除去した場合の右側面図である。
【図３】本発明の一実施例における高周波加熱装置のドアが密閉している状態でキャビネットを除去した場合の右側面図である。
【図４】本発明の一実施例における高周波加熱装置のドアが全開している状態でキャビネットを除去した場合の右側面図である。
【符号の説明】
【００４３】
２・・・食品
３・・・加熱室
４・・・開口部
５・・・前板
６・・・ドア
６ｂ・・取っ手
６ｃ・・取っ手スイッチ
１０・・・コイルバネ
１２・・・ドアスイッチ
１３・・・開成駆動手段
【図１】
2005221165.tif 000003
【図２】
2005221165.tif 000004
【図３】
2005221165.tif 000005
【図４】
2005221165.tif 000006